(57)【要約】【課題】小型化、構成及び実装の簡易化を実現し得る波長選択受光装置と、光送受信モジュールとを提供する。【解決手段】波長選択受光装置２１は、波長が互いに異なる２つの光のうち、一方の光に対して透過率が低く、他方の光に対して透過率が高い波長選択フィルタ１と、一方の波長の光信号を受信する第１の受光素子２と、他方の光信号を受信する第２の受光素子３とを順次積層して一体化したものであり、光送受信モジュールは、部品取付面に突起部を有するステム１７と、ステム部材の部品取付面に装着された上記の波長選択受光装置と、長波長の光又は短波長の光を放射し、波長選択受光装置の光受光面を照射する角度をもってステム部材の突起部に装着された発光素子４と、波長選択受光装置で反射された発光素子の放射光を入射する位置に光伝送路７の一端部をステム部材と一体的に保持する保持部材とを備える。【選択図】　　　　図１
2004031512.tif 000002
【特許請求の範囲】
【請求項１】
波長が互いに異なる２つの光のうち、短波長の光に対して透過率が低く、長波長の光に対して透過率が高い波長選択フィルタと、前記短波長の光信号を受信する第１の受光素子と、前記長波長の光信号を受信する第２の受光素子とを順次積層して一体化した波長選択受光装置。
【請求項２】
前記波長選択フィルタは、前記短波長の光の大部分を反射させて一部を透過させ、前記長波長の光の大部分を透過させて一部を反射させる請求項１に記載の波長選択受光装置。
【請求項３】
前記第１の受光素子は、前記波長選択フィルタを透過した短波長の光の全てを吸収する厚さを有する請求項２に記載の波長選択受光装置。
【請求項４】
波長が互いに異なる２つの光のうち、短波長の光に対して透過率が高く、長波長の光に対して透過率が低い波長選択フィルタと、前記短波長の光信号を受信する第１の受光素子と、前記長波長の光信号を受信する第２の受光素子とを順次積層して一体化した波長選択受光装置。
【請求項５】
前記波長選択フィルタは、前記短波長の光の全部を透過させ、前記長波長の光の大部分を反射させて一部を透過させる請求項４に記載の波長選択受光装置。
【請求項６】
前記第１の受光素子は、前記波長選択フィルタを透過した短波長の光の全てを吸収する厚さを有する請求項４又は５に記載の波長選択受光装置。
【請求項７】
前記第１の受光素子の受光部と比較して、前記第２の受光素子の受光部の受光面積を広くした請求項１から６のいずれか１つに記載の波長選択受光装置。
【請求項８】
前記第１の受光素子の受光部の配置位置と前記第２の受光素子の受光部の配置位置とを光の入射軸と交差する方向に互いにずれさせた請求項１から６のいずれか１つに記載の波長選択受光装置。
【請求項９】
前記第１及び第２の受光素子の少なくとも一方が、光の入射方向の導波路を有する導波路タイプの受光素子である請求項１から６のいずれか１つに記載の波長選択受光装置。
【請求項１０】
前記波長選択フィルタ、第１の受光素子及び第２の受光素子を接着して一体化した請求項１から９のいずれか１つに記載の波長選択受光装置。
【請求項１１】
前記波長選択フィルタ、第１の受光素子及び第２の受光素子を半導体製造プロセスにより一体化した請求項１から９のいずれか１つに記載の波長選択受光装置。
【請求項１２】
部品取付面に突起部を有するステム部材と、前記ステム部材の部品取付面に装着された請求項１から１１のいずれか１つに記載の波長選択受光装置と、前記長波長の光又は短波長の光を放射し、前記波長選択受光装置の光受光面を照射する角度をもって前記ステム部材の前記突起部に装着された発光素子と、前記波長選択受光装置で反射された前記発光素子の放射光を入射する位置に光伝送路の一端部を前記ステム部材と一体的に保持する保持部材とを備えた光送受信モジュール。
【発明の詳細な説明】
【０００１】
【発明の属する技術分野】
本発明は、光通信あるいは光情報処理などの分野に用いられる波長分割多重（以下、ＷＤＭと略記する）伝送に好適な波長選択受光装置及びこれを用いた光送受信モジュールに関するものである。
【０００２】
【従来の技術】
近年、１本の光ファイバを用いて上りと下りの双方向伝送を、異なる波長λ１、λ２で実現する光通信方式の開発が進められている。この光通信方式において、発光素子、受光素子、波長分離及び合波機能部品を集積化して構成された光送受信モジュールが用いられる。光送受信モジュールは、波長がλ２（又はλ１）の受信光と、波長がλ１（又はλ２）の送信光とを分離するために、光導波路と波長選択フィルタとしてのＷＤＭフィルタとを組み合わせた構成とするのが一般的である。
【０００３】
図１６は特開平１１−６８７０５号公報に開示された従来の光送受信モジュ
ールの構成を示す斜視図である。同図において、シリコン基板８の一主面の中央部を横切るように形成された溝にＷＤＭフィルタ１が装着されている。このＷＤＭフィルタ１を境界とした主面の一方（図面の右側）に受光素子３が実装され、主面の他方（図面の左側）にモニタ用受光素子２及び発光素子４が実装され、かつ、光ファイバ７の一端部が固定されている。そして、光ファイバ７に光結合された光導波路９、発光素子４に光結合された光導波路１１及び受光素子３に光結合された光導波路１０が、ＷＤＭフィルタ１を介して、「Ｙ」字形に光結合されている。この「Ｙ」字形の光結合には２次元の高精度の位置合わせが要求される。
【０００４】
ここで、発光素子４から出射される波長λ１の光信号は光導波路１１を介してＷＤＭフィルタ１に伝送され、このＷＤＭフィルタ１で反射された後、光導波路９を介して光ファイバ７に導入される。一方、光ファイバ７から伝送されてきた波長λ２の光信号は光導波路９を介してＷＤＭフィルタ１に伝送されてこのＷＤＭフィルタ１を透過し、さらに、光導波路１０を介して受光素子３に到達し、受光素子３で受光される。また、発光素子４が光導波路１１に光を出射する側とは反対の側からも波長λ１の光信号が出射されており、この出射光がこの発光素子４の光出力を監視するモニタ用受光素子２で受光される。
【０００５】
なお、発光素子４の光出力を監視するモニタ用受光素子２で反射した波長λ１の光が発光素子４に戻って入射すると、発光素子４の発振が不安定となるため、例えば、図１７（ａ）に示すように、シリコン基板８上にサブマウントと呼ばれる台１２を用いて入射光に対して受光部５の受光面を斜めにして設置したり、図１７（ｂ）に示すように、モニタ用受光素子２の一部の面を斜めに加工してそこから光を入射させて受光部５に到達させたり、あるいは、図１７（ｃ）に示すように、受光部５が導光路をなす導光路タイプのモニタ用受光素子２を用いたりしていた。
【０００６】
【発明が解決しようとする課題】
上述した従来の光送受信モジュールにあっては、ＷＤＭフィルタ１、モニタ用受光素子２、受光素子３及び発光素子４をシリコン基板８の一つの平面に分散配置しているため、光送受信モジュールの外形寸法が大きくなるという問題があった。
【０００７】
また、モニタ用受光素子２から発光素子４に光が戻ることを防止するために、台１２を設ける場合には、最初に台１２を設置し、続いてモニタ用受光素子２を設置することになるため、製造工程が増えてコスト高となる。また、モニタ用受光素子２の一部を斜めに面取り加工する場合には、高精度の加工技術が要求され、このことがコスト高の一因になっていた。さらに、導波路タイプのモニタ用受光素子２を用いる場合には、発光素子４の後方に配置するだけで済むが、モニタ用受光素子２の実装に精度の高い技術が要求された。
【０００８】
本発明は、上記の問題点を解決するためになされたもので、その目的は光送受信モジュールの小型化を実現し得る波長選択受光装置、及びこれを用いて小型化を図った光送受信モジュールを提供するにある。
本発明の他の目的は、構成及び実装の簡易化を実現し得る波長選択受光装置、及びこれを用いて構成及び実装を簡易化した光送受信モジュールを提供するにある。
【０００９】
【課題を解決するための手段】
請求項１に係る発明は、波長が互いに異なる２つの光のうち、短波長の光に対して透過率が低く、長波長の光に対して透過率が高い波長選択フィルタと、短波長の光信号を受信する第１の受光素子と、長波長の光信号を受信する第２の受光素子とを順次積層して一体化した波長選択受光装置である。
この構成により、光送受信モジュールの小型化、構成及び実装の簡易化が実現される。
【００１０】
請求項２に係る発明は、請求項１に記載の波長選択受光装置において、波長選択フィルタは、短波長の光の大部分を反射させて一部を透過させ、長波長の光の大部分を透過させて一部を反射させるものである。
この構成により、送信信号と受信信号との間の光クロストークが低減され、光アイソレーションが改善される。
【００１１】
請求項３に係る発明は、請求項２に記載の波長選択受光装置において、第１の受光素子は、波長選択フィルタを透過した短波長の光の全てを吸収する厚さを有する。
この構成により、第１の受光素子のみが受光すべき光（モニタ光）を第２の受光素子が受光することがなくなり、光アイソレーションの改善効果が高められる。
【００１２】
請求項４に係る発明は、波長が互いに異なる２つの光のうち、短波長の光に対して透過率が高く、長波長の光に対して透過率が低い波長選択フィルタと、短波長の光信号を受信する第１の受光素子と、長波長の光信号を受信する第２の受光素子とを順次積層して一体化した波長選択受光装置である。
この構成により、光送受信モジュールの小型化、構成及び実装の簡易化が実現される。
【００１３】
請求項５に係る発明は、請求項４に記載の波長選択受光装置において、波長選択フィルタは、短波長の光の全部を透過させ、長波長の光の大部分を反射させて一部を透過させるものである。
この構成により、送信信号と受信信号との間の光クロストークが低減され、光アイソレーションが改善される。
【００１４】
請求項６に係る発明は、請求項１に記載の波長選択受光装置において、第１の受光素子は、波長選択フィルタを透過した短波長の光の全てを吸収する厚さを有する請求項４又は５に記載の波長選択受光装置である。
この構成により、第１の受光素子のみが受光すべき光（モニタ光）を第２の受光素子が受光することがなくなり、光アイソレーションの改善効果が高められる。
【００１５】
請求項７に係る発明は、請求項１から６のいずれか１つに記載の波長選択受光装置において、第１の受光素子の受光部と比較して、第２の受光素子の受光部の受光面積を広くしたものである。
この構成により、第１の受光素子の受光部の位置精度をそれほど必要とされなくなる。
【００１６】
請求項８に係る発明は、請求項１から６のいずれか１つに記載の波長選択受光装置において、第１の受光素子の受光部の配置位置と第２の受光素子の受光部の配置位置とを光の入射軸と交差する方向に互いにずれさせたものである。
この構成により、設計又は製作上、第１の受光素子の厚みを確保し難い場合でも第１の受光素子のみが受光すべき光（モニタ光）を第２の受光素子が受光することがなくなり、さらに、第２の受光素子が受光すべき光（受信光）を第１の受光素子が受光してしまうことが避けられ、光アイソレーションの改善効果がより高められる。
【００１７】
請求項９に係る発明は、請求項１から６のいずれか１つに記載の波長選択受光装置において、第１及び第２の受光素子の少なくとも一方が、光の入射方向の導波路を有する導波路タイプの受光素子でなるものである。
この構成により、設計又は製作の自由度が高められる。
【００１８】
請求項１０に係る発明は、請求項１から９のいずれか１つに記載の波長選択受光装置において、波長選択フィルタ、第１の受光素子及び第２の受光素子を接着して一体化したものである。
この構成により、その取り扱いが容易化されるとともに、光送受信モジュールの組立が容易化される。
【００１９】
請求項１１に係る発明は、請求項１から９のいずれか１つに記載の波長選択受光装置において、波長選択フィルタ、第１の受光素子及び第２の受光素子を半導体製造プロセスにより一体化したものである。
この構成により、量産が可能になるほか、その取り扱い及び光送受信モジュールの組立が容易化される。
【００２０】
請求項１２に係る発明は、部品取付面に突起部を有するステム部材と、ステム部材の部品取付面に装着された請求項１から１１のいずれか１つに記載の波長選択受光装置と、長波長の光又は短波長の光を放射し、波長選択受光装置の光受光面を照射する角度をもってステム部材の突起部に装着された発光素子と、波長選択受光装置で反射された発光素子の放射光を入射する位置に光伝送路の一端部をステム部材と一体的に保持する保持部材とを備えた光送受信モジュールである。この構成により、互いに高精度にて光結合させる必要のある部品点数が少なくなり、この結果、小型化が図られるとともに、構成及び実装の簡易化を実現した光送受信モジュールを提供することができる。
【００２１】
【発明の実施の形態】
以下、本発明を図面に示す好適な実施の形態に基づいて詳細に説明する。図１は本発明に係る波長選択受光装置の第１の実施の形態の構成を、光の送受信系統と併せて示した断面図である。図中、従来装置を示した図１６と同一の符号を付したものはそれぞれ同一又は同機能を有し、以下の各実施の形態において、同一の符号を付したものに対する説明を省略することとする。図１に示す波長選択受光装置２１は宅内側に設置される光送受信モジュールに適用するもので、発光素子４から波長λ１＝１．３μｍの送信光を出射させ、波長選択受光装置２１の表面でその大部分を反射させて光ファイバ７に入射させる一方、光ファイバ７から出射された波長λ２＝１．５μｍの受信光の大部分を波長選択受光装置２１で受光するとともに、波長λ１の送信光の一部をモニタ光として受光するものである。
【００２２】
ここで、波長選択受光装置２１は波長λ１の光に対して透過率が低く、波長λ２の光に対して透過率が高いＷＤＭフィルタ１と、波長λ１の光信号を受信する第１の受光素子としてのモニタ用受光素子２と、波長λ２の光信号を受信する第２の受光素子としての受光素子３とが順次積層され、これらが個々に作成された後に半田などによって接着されるか、あるいは、半導体製造プロセスにより一体化された状態に集積されるかしたものである。
【００２３】
このうち、ＷＤＭフィルタ１は、図２に波長と透過率との関係を示すように、短波長λ１の光の大部分を反射させて一部を透過させ、長波長λ２の光の大部分を透過させて一部を反射させる特性を有している。つまり、短波長λ１の付近では透過率は低いが０％ではなく、長波長λ２の付近では透過率は１００％ではないという特性を有している。モニタ用受光素子２はＷＤＭフィルタ１を通過した短波長λ１の光を受光するもので、その中央部におけるＷＤＭフィルタ１との界面側に受光部５を備え、短波長λ１の光を全て吸収するが長波長λ２の光を通過させる厚さに形成されている。受光素子３はモニタ用受光素子２を通過した長波長λ２の光を受光するもので、その中央部におけるモニタ用受光素子２との界面側に受光部６を備えている。なお、受光部５及び受光部６は略等しい受光面積を有し、かつ、中心が略一致する位置に形成されている。
【００２４】
上記のように構成された波長選択受光装置２１の動作について以下に説明する。発光素子４から出射した光、すなわち、波長λ１の光信号は０度より大きい角度θにて波長選択受光装置２１の表面に照射され、この光信号の大部分はＷＤＭフィルタ１で反射し、残りの一部が透過する。ＷＤＭフィルタ１で反射した波長λ１の信号光はその先にある光ファイバ７などの導波路へ導かれる。ＷＤＭフィルタ１を通過した波長λ１の光信号はモニタ用受光素子２の受光部５へ導かれて受光される。モニタ用受光素子２は受光した光強度に応じた電気信号を出力し、この電気信号によって発光素子４の光出力が調整される。
【００２５】
一方、光ファイバ７から出射される光、すなわち、波長λ２の光信号はその大部分がＷＤＭフィルタ１を透過し、さらに、モニタ用受光素子２を透過し、受光素子３に導かれてその受光部６で受光され、電気信号に変換されて処理される。
【００２６】
図３から図６は図１に示した第１の実施の形態の変形例である。このうち、図３に示した波長選択受光装置２２はモニタ用受光素子２の受光部５を受光素子３との界面側に設けることにより受光部５と受光部６とを隣接させたものである。図４に示した波長選択受光装置２３はモニタ用受光素子２の受光部５をＷＤＭフィルタ１との界面側に配置し、受光素子３の受光部６をモニタ用受光素子２から最も離れた底部に配置したものである。図５に示した波長選択受光装置２４はモニタ用受光素子２の受光部５を受光素子３との界面側に配置し、受光素子３の受光部６をモニタ用受光素子２から最も離れた底部に配置したものである。図６に示した波長選択受光装置２５はモニタ用受光素子２及び受光素子３として受光部５及び受光部６が導光路で構成された導光路タイプのものを用いたもので、この場合、受光部５と受光部６とを連接させている。
【００２７】
なお、ＷＤＭフィルタ１の透過特性やモニタ用受光素子２での減衰特性などに応じて、図１、図３から図６に示したうちから、受光状態が最適なものを選択して使用することができる。
【００２８】
図７及び図８もまた図１に示した第１の実施形態の変形例を示す断面図である。このうち、図７に示した波長選択受光装置２６は、モニタ用受光素子２の受光面積と受光素子３の受光面積とを異ならせたもので、受光部５の受光面積を相対的に狭くし、受光部６の受光面積を相対的に広くしたもので、これによって、モニタ用受光素子２の受光部５の位置精度をそれほど高くする必要がなくなる。さらに、図８に示した波長選択受光装置２７は、モニタ用受光素子２の受光部５の配置位置と受光素子３の受光部６の配置位置とを光の入射軸と交差する方向に互いにずらしたものである。この構成により、設計又は製作上、モニタ用受光素子２の受光素子の厚みを確保し難い場合でもモニタ用受光素子２のみが受光すべき光（モニタ光）を受光素子３が受光することがなくなり、さらに、受光素子３が受光すべき光（受信光）をモニタ用受光素子２が受光してしまうことが避けられ、光アイソレーションの改善効果が高められる。
【００２９】
図９は本発明に係る光送受信モジュールの一実施の形態の構成を示す縦断面図であり、上述した波長選択受光装置の第１の実施の形態中、図１に示した波長選択受光装置２１を組み込んだものである。この光送受信モジュールは、一般的に使用されているＴＯ−ＣＡＮタイプのステム１７を用いている。このステム１７は内側に突起部１７ａを備え、この突起部１７ａの頂部に斜めの取付面を有している。そして、ステム１７の内側の取付面の中央部に波長選択受光装置２１が装着され、突起部１７ａの斜めの取付面に発光素子４が装着されている。また、発光素子４及び波長選択受光装置２１は軸心部に光学レンズ１３を装着して構成されたキャップ１８で封止されている。
【００３０】
また、ステム１７はそれ自体に固着されている電気配線用のピン１５と、絶縁層１４によって電気的に絶縁された状態で貫通して封止された複数のピン１６を備えており、モニタ用受光素子２や受光素子３がワイヤボンディングにより電気配線用のピン１５及びピン１６に配線され、受光部５及び受光部６でそれぞれ光−電気変換された信号を外部の関連する電気回路に供給する。さらに、波長選択受光装置２１及び光学レンズ１３を結ぶ軸線上に光ファイバ７の一端部が、図示を省略した保持部材で保持されている。なお、この光送受信モジュールに実装した波長選択受光装置２１の代わりに、図３から図８のいずれか１つに示した波長選択フィルタを装着してもよい。
【００３１】
このように構成したことにより、ＷＤＭフィルタ１、モニタ用受光素子２及び受光素子３が一体化された波長選択受光装置２１をステム１７の内側の中心部に、突起部１７ａの斜面に発光素子４をそれぞれ装着すれば済むため、精度良く実装しなければならない部品点数を減らすことができる。すなわち、従来装置においては、モニタ用受光素子２、ＷＤＭフィルタ１、光ファイバ７、発光素子４の４点であったものが、本実施の形態によれば、波長選択受光装置２１、光ファイバ７及び発光素子４の３点に減少されるため、装置の小型化が図られるとともに、構成及び実装の簡易化が達成される。
【００３２】
図１０は本発明に係る波長選択受光装置の第２の実施の形態の構成を、光の送受信系統と併せて示した断面図である。図１０に示す波長選択受光装置３１は局内側に設置される光送受信モジュールに適用するもので、発光素子４から波長λ２＝１．５μｍの送信光を出射させ、波長選択受光装置３１の表面でその大部分を反射させて光ファイバ７に入射させる一方、光ファイバ７から出射された波長λ１＝１．３μｍの受信光の全部を波長選択受光装置３１で受光するとともに、波長λ２の送信光の一部をモニタ光として受光するものである。
【００３３】
ここで、波長選択受光装置３１は波長λ１の光に対して透過率が１００％で、波長λ２の光に対して透過率が低いＷＤＭフィルタ１と、波長λ１の光信号を受信する第１の受光素子としての受光素子３と、波長λ２の光信号を受信する第２の受光素子としてのモニタ用受光素子２とが順次積層され、これらが個々に作成された後で半田などによって接着されるか、あるいは、半導体製造プロセスにより一体化された状態に集積されるかしたものである。
【００３４】
このうち、ＷＤＭフィルタ１は、図１１に波長と透過率との関係を示すように、短波長λ１の光の全部を透過させ、長波長λ２の光の大部分を反射させて一部を透過させる特性を有するものである。つまり、短波長λ１の付近では透過率は１００％であるが、長波長λ２の付近では透過率は低いが０％ではないという特性を有している。受光素子３はＷＤＭフィルタ１を通過した短波長λ１の光を受光するもので、その中央部におけるＷＤＭフィルタ１との界面側に受光部５を備え、短波長λ１の光を全て吸収するが長波長λ２の光通過させる厚さに形成されている。モニタ用受光素子２は受光素子３を通過した長波長λ２の光を受光するもので、その中心部の受光素子３との界面側に受光部５を備えている。なお、受光部６及び受光部５は略等しい受光面積を有し、かつ、中心が一致する位置に形成されている。
【００３５】
上記のように構成された波長選択受光装置３１の動作について以下に説明する。発光素子４から出射した光、すなわち、波長λ２の光信号は０度より大きい角度θにて波長選択受光装置３１の表面に照射され、この光信号の大部分はＷＤＭフィルタ１で反射し、残りの一部が通過する。ＷＤＭフィルタ１で反射した波長λ２の信号光はその先にある光ファイバ７などの導波路へ導かれる。ＷＤＭフィルタ１を通過した波長λ２の光信号はモニタ用受光素子２の受光部５へ導かれて受光される。モニタ用受光素子２は受光した光強度に応じた電気信号を出力し、この電気信号によって発光素子４の光出力が調整される。
【００３６】
一方、光ファイバ７から出射される光、すなわち、波長λ１の光信号はその全部がＷＤＭフィルタ１を透過し、受光素子３に導かれてその受光部６で受光され、電気信号に変換されて処理される。
【００３７】
図１２から図１５は図１０に示した第２の実施の形態の変形例である。このうち、図１２に示した波長選択受光装置３２は受光素子３の受光部６をモニタ用受光素子２との界面側に設けることにより受光部６と受光部５とを隣接させたものである。図１３に示した波長選択受光装置３３は受光素子３の受光部６をＷＤＭフィルタ１との界面側に配置し、モニタ用受光素子２の受光部５を受光素子３２から最も離れた底部に配置したものである。図１４に示した波長選択受光装置３４は受光素子３の受光部６をモニタ用受光素子２との界面側に配置し、モニタ用受光素子２の受光部５を受光素子３から最も離れた底部に配置したものである。図１５に示した波長選択受光装置３５は受光素子３及びモニタ用受光素子２として受光部６及び受光部５が導光路で構成された導光路タイプのものを用いたもので、この場合、受光部６と受光部５とを連接させている。
【００３８】
なお、ＷＤＭフィルタ１の透過特性やモニタ用受光素子２での減衰特性などに応じて、図１０、図１２から図１５に示したうちから、受光状態が最適なものを選択して使用することができる。
【００３９】
なお、図示を省略するが、図７に示したと同様に、図１０に示した波長選択受光装置３１において、ＷＤＭフィルタ１に隣接する受光素子３の受光面積とモニタ用受光素子２の受光面積とを異ならせて、受光部６の受光面積を相対的に狭くし、受光部５の受光面積を相対的に広くすることによって、受光素子３の受光部６の位置精度をそれほど高くする必要がなくなる。さらに、図８に示したと同様に、図１０に示した波長選択受光装置３１において、受光素子３の受光部６の配置位置とモニタ用受光素子２の受光部５の配置位置とを光の入射軸と交差する方向に互いにずらすこともできる。この構成により、設計又は製作上、受光素子３の厚みを確保し難い場合でも受光素子３のみが受光すべき光をモニタ用受光素子２が受光することがなくなり、さらに、モニタ用受光素子２が受光すべき光を受光素子３が受光してしまうことが避けられ、光アイソレーションの改善効果が高められる。
【００４０】
上述した第２の実施の形態に係る波長選択受光装置３１〜３５のいずれか１つを図９中の波長選択受光装置２１に代えて装着することにより、局内側の光送受信モジュールを構成することができ、これによって上述したと同様に、装置の小型化が図られるとともに、構成及び実装の簡易化が達成される。
【００４１】
【発明の効果】
以上の説明によって明らかなように、本発明により光送受信モジュールの小型化を実現し得る波長選択受光装置、及びこれを用いて小型化を図った光送受信モジュールを提供することができる。また、光送受信モジュールの構成及び実装の簡易化を実現し得る波長選択受光装置、及びこれを用いて構成及び実装を簡易化した光送受信モジュールを提供することができる。
【図面の簡単な説明】
【図１】本発明に係る波長選択受光装置の第１の実施の形態を、光の送受信系統と併せて示した断面図
【図２】図１に示した第１の実施の形態を構成するＷＤＭフィルタの波長と透過率との関係を示した線図
【図３】本発明に係る波長選択受光装置の第１の実施の形態の変形例の構成を示す断面図
【図４】本発明に係る波長選択受光装置の第１の実施の形態の変形例の構成を示す断面図
【図５】本発明に係る波長選択受光装置の第１の実施の形態の変形例の構成を示す断面図
【図６】本発明に係る波長選択受光装置の第１の実施の形態の変形例の構成を示す断面図
【図７】本発明に係る波長選択受光装置の第１の実施の形態の変形例の構成を示す断面図
【図８】本発明に係る波長選択受光装置の第１の実施の形態の変形例の構成を示す断面図
【図９】本発明に係る光送受信モジュールの一実施の形態の構成を示す縦断面図
【図１０】本発明に係る波長選択受光装置の第２の実施の形態を、光の送受信系統と併せて示した断面図
【図１１】図１０に示した第２の実施の形態を構成するＷＤＭフィルタの波長と透過率との関係を示した線図
【図１２】本発明に係る波長選択受光装置の第２の実施の形態の変形例の構成を示す断面図
【図１３】本発明に係る波長選択受光装置の第２の実施の形態の変形例の構成を示す断面図
【図１４】本発明に係る波長選択受光装置の第２の実施の形態の変形例の構成を示す断面図
【図１５】本発明に係る波長選択受光装置の第２の実施の形態の変形例の構成を示す断面図
【図１６】従来の光送受信モジュールの構成を示す斜視図
【図１７】図１６に示す従来の光送受信モジュールの主要な要素の装着例及び構成例を、部分的に断面で示した側面図
【符号の説明】
１　ＷＤＭフィルタ
２　モニタ用受光素子
３　受光素子
４　発光素子
５，６　受光部
７　光ファイバ
８　シリコン基板
９〜１１　光導波路
１２　台
１３　光学レンズ
１４　絶縁層
１５　電気配線用のピン
１６　ピン
１７　ステム
１７ａ　突起部
１８　キャップ
２１〜２７，３１〜３５　波長選択受光装置
【図１】
2004031512.tif 000003
【図２】
2004031512.tif 000004
【図３】
2004031512.tif 000005
【図４】
2004031512.tif 000006
【図５】
2004031512.tif 000007
【図６】
2004031512.tif 000008
【図７】
2004031512.tif 000009
【図８】
2004031512.tif 000010
【図９】
2004031512.tif 000011
【図１０】
2004031512.tif 000012
【図１１】
2004031512.tif 000013
【図１２】
2004031512.tif 000014
【図１３】
2004031512.tif 000015
【図１４】
2004031512.tif 000016
【図１５】
2004031512.tif 000017
【図１６】
2004031512.tif 000018
【図１７】
2004031512.tif 000019